(57)【要約】【課題】使用中のズレやばね力の劣化が生じ難く、また、一体的成型が可能であるためコスト面でも経済的なピアス用保持具を提供すること。【解決手段】弾性素材より成型される釣り錐形状の中空体であって、該中空体の頂部と底部略中央にはピアス用ピンのピン挿通孔をそれぞれ形成するとともに、該中空体の稜線部に少なくとも２以上の切溝部を形成して、複数のピン支持片が設けられている。【選択図】　図３
2004024369.tif 000002
【特許請求の範囲】
【請求項１】
弾性素材より成型される釣り錐形状の中空体であって、該中空体の頂部と底部略中央の双方あるいはいずれか一方にピアス用ピンのピン挿通孔を形成するとともに、該中空体の稜線部に少なくとも２以上の切溝部を形成して、複数のピン支持片を設けたことを特徴とするピアス用保持具。
【請求項２】
前記ピン支持片は、先端で中心から外方向きにそれぞれ湾曲し、平面略花びら形状に形成されていることを特徴とする請求項１に記載のピアス用保持具。
【請求項３】
前記ピン支持片は、先端で中心から内方向きにそれぞれ湾曲するとともに、ピアス用ピンの周部に形成される溝部と嵌合する掛留部が形成されていることを特徴とする請求項１に記載のピアス用保持具。
【請求項４】
前記中空体の釣り錐形状は、稜線部を段差状に形成した略円錐体あるいは略角錐体であることを特徴とする請求項１乃至３に記載のピアス用保持具。
【請求項５】
前記切溝部は、前記中空体の頂部より底部方向にらせん状で形成されていることを特徴とする請求項１乃至４に記載のピアス用保持具。
【請求項６】
弾性素材より成型される釣り錐形状の中空体であって、該中空体の頂部の底部略中央の双方あるいはいずれか一方にピアス用ピンのピン挿通孔を形成するとともに、該中空体の稜線部に少なくとも２以上の切溝部を形成して、複数のピン支持片を設けたピアス用保持具を、ロストワックスキャスティング技法により一体的に成型することを特徴とするピアス用保持具の製造方法。
【発明の詳細な説明】
【０００１】
【発明の属する分野】
本発明は、ピアスイアリングを耳に装着するためのピアス用ピンを、耳たぶで抜け止めするためのピアス用保持具に関するものである。
【０００２】
【従来の技術】
従来、ピアスイアリング１５は、本体の裏面に取りつけられるピアス用ピン１
７を耳たぶに開けられた穴に通し、耳たぶの裏側より飛び出した該ピアス用ピン１７に通称キャッチ１０と呼ばれる金属片を差しこんで耳に装着するものである。
【０００３】
ここで、従来からある最も一般的なキャッチ１０としては、図１及び図２に示すように、薄い金属板の中央にピアス用ピン１７を挿通するピン挿通孔１２を形成するとともに、その両側縁を延長して弾発片１４とし、さらに弾発片１４の延長部分の端部をカールさせて対向する挟着部１６を形成したものであり、上記ピン挿通孔１２から挿通されたピアス用ピン１７の周溝１８をこの挟着部１６で挟着し、抜け止めするように構成したものが知られている。
【０００４】
しかし、このキャッチ１０は、ピアス用ピン１７をその両側方向からのみ挟着部１６により押圧するものであるため、使用中にキャッチ１０が上下方向にずれてしまうことが度々生じる。また、永年の使用による金属疲労で弾発片のばね力が劣化し、キャッチ１０自体が外れてピアスイアリング１５を紛失するという事故もしばしば起きていた。さらには、前記のごとく、薄い金属板をプレス切断加工後プレス折曲加工するという複数の工程がその成型には必要で、コスト面でも割高なものとなっていた。
【０００５】
本発明は、簡単な構造でありながら、ピンを全体的に押圧するため使用中のずれやばね力の劣化が生じ難く、また、一体的成型が可能であるためコスト面でも経済的なピアス用保持具を提供することを目的とする。
【０００６】
上記課題を解決するため請求項１に記載の発明は、弾性素材より成型される釣り錐形状の中空体であって、該中空体の頂部と底部略中央の双方あるいはいずれか一方にはピアス用ピンのピン挿通孔を形成するとともに、該中空体の稜線部に少なくとも２以上の切溝部を形成して、複数のピン支持片を設けたピアス用保持具であることを特徴とする。かかる構成によれば、ピアス用ピンに挿通し易く、装着中にピンからピアス用保持具がズレルこともない。
【０００７】
請求項２に記載の発明は、前記ピン支持片は、先端で中心から外方向きにそれぞれ湾曲し、平面略花びら形状に形成されている請求項１に記載のピアス用保持具であることを特徴とする。請求項３に記載の発明は、前記ピン支持片は、先端で中心から内方向きにそれぞれ湾曲するとともに、ピアス用ピンの周部に形成される溝部と嵌合する掛留部が形成されている請求項１に記載のピアス用保持具であることを特徴とする。かかる構成によれば、ピアス用ピンの周部を確実に固定することで、より安定して使用することができる。
【０００８】
請求項４に記載の発明は、前記中空体の釣り錐形状は、稜線部を段差状に形成した略円錐体あるいは略角錐体の請求項１乃至３に記載のピアス用保持具であることを特徴とする。請求項５に記載の発明は、前記切溝部は、前記中空体の頂部より底部方向にらせん状で形成されている請求項１乃至４に記載のピアス用保持具であることを特徴とする。かかる構成によれば、趣味感にあふれた装飾的形状のピアス用保持具とすることができる。
【０００９】
請求項６の記載の発明は、弾性素材より成型される釣り錐形状の中空体であって、該中空体の頂部と底部略中央にはピアス用ピンのピン挿通孔を形成するとともに、該中空体の稜線部に少なくとも２以上の切溝部を形成して、複数のピン支持片を設けたピアス用保持具を、ロストワックスキャスティング技法により一体的に成型するピアス用保持具の製造方法であることを特徴とする。
かかる構成によれば、一体的製造により、通常装身具パーツとして販売されるピアス保持具にコスト面での大きなメリットを提供することができる。。
【００１０】
以下、図面に基づき、本発明のピアス保持具について詳細に説明する。図３は、第１のピアス保持具を示す斜視図、図４は、第１のピアス保持具を示す平面図、図５は、第１のピアス保持具を示す断面図、図６は、第１のピアス保持具を示す底面図、図７は、第１のピアス保持具にピアス用ピンを挿通した状態を示す断面図である。
第１のピアス保持具２０は、釣り錐形状の中空体２２であって、その頂部２４と底部２６略中央にはピアス用ピンの挿通孔２８、３０がそれぞれ形成され、その稜線部には切溝部３２が形成されてピン支持片３４が設けられている。
【００１１】
中空体２２は、例えば、金、プラチナ、シルバーなどの貴金属やプラスチックなどの合成樹脂その他の弾性素材により円形の釣り錐形状に形成されている。該中空体２２の厚みは、後記するピアス保持具２０のばね性と耐久性を考慮して種々決定されるが、例えば、１８金を素材とした場合は０．３ｍｍ程度が望ましい。
【００１２】
該中空体２２の釣り錐形状は、図示された円形のみならず、例えば、角形の釣り錘形状を形成するものであっても良い。全体として釣り錐形状とすることで、後記する使用時にピアス用ピンを挿脱し易くなり、かつばねの耐久性を保つこともできるからである。
【００１３】
該中空体２２の頂部２４には、ピアス用ピンを挿脱するためのピン挿通孔２８が、また、底部２６の略中央には、同様のピン挿通孔３０がそれぞれ形成されている。該ピン挿通孔２８、３０の直径は、挿通されるピアス用ピン直径よりやや大きい程度であって、平均的なピン直径が０．７５〜０．９ｍｍ程度であることを考慮すると、０．８〜０．９５ｍｍｍｍ程度が望ましい。また、必要な場合には、底部２６の挿通孔３９の内側周辺に案内壁部３６を形成することで、ピアス用ピンをよりスムーズに挿脱できる。
【００１４】
該中空体２２には、前記頂部２４のピン挿通孔２８から稜線部に沿って、４本の細幅の切溝部３２が平面十字状に形成され、４片の支持片３４が設けられている。前記底部２６の挿通孔３０からピアス用ピンが挿入されると、支持片３４はそれぞれ外方向きに一旦開くが、ばね力でピアス用ピンを押圧する。また、支持片３４の内径が狭小となる部分には挟着部３８が形成される。
なお、切溝部３２の長さは、特に限定がないが、ピアス保持具２０のばね力とピアス用ピンの挿脱し易さを考慮すると、少なくとも稜線部の半分以上の十分な長さをもって形成されることが望ましい。
【００１５】
該各支持片３４は、先端で中心から外方向きにそれぞれ湾曲し、全体として平面略花びら形状に形成されている。支持片３４をこのような平面略花びら形状とすることにより、前記底部２６の挿通孔３０から挿入されたピアス用ピンが頂部２４のピン挿通孔２８に挿通し易くなるとともに、ピアス用ピンを固定する場合にも傷つけることが少ない。
なお、平面略花びら形状の湾曲は、特に限定がないが、後記するピアス用ピンの溝部の着脱がスムーズに行なわれる程度の緩やかな湾曲が望ましい。
【００１６】
また、頂部２４のピン挿通孔２８には、各支持片３４が前記平面略花びら形状を形成することで、特定の位置で狭まる挟着部３８が設けられる。
かかる挟着部３８の閉鎖時の内径（距離）については、特に限定がないが、ピアス用ピンの溝部の外径が０．６５〜０．８ｍｍ程度であることを考慮すると、０．５５〜０．７０ｍｍ程度であることが望ましい。
【００１７】
このようなピアス保持具２０の使用方法を説明すると、従来のキャッチと同様に、本体の裏面に取りつけられるピアス用ピン４２を耳たぶに開けられた穴に通し、耳たぶの裏側より飛び出したピアス用ピン４２の先端を挿通孔３０より圧入する。この場合、ピアス保持具２０は、釣り錐形状に形成されているので、指で底部２６を持ち易く、かつ支持片３４のばねを損傷することがない。
【００１８】
さらに、ピアス用ピン４２をピアス保持具２０の軸心方向に押し込むと、その先端は挿通孔２８より突出し、支持片３４がそれぞれ外方向きに一旦開き、ばね力によってピアス用ピン４２を押圧する。そして、支持片３４の挟着部３８にピアス用ピン４２の溝部４４が到達すると、ピアス用ピン４２はピアス保持具２０により固定される。
【００１９】
この場合、ピアス保持具２０は、４片の支持片３４によって上下左右方向からピアス用ピン４２を押圧するので使用中にズレルことはない。また、ばね力が４片の支持片３４で分散されるので、永年の使用によってもピアス保持具２０のばね疲労は少ない。
【００２０】
なお、ピアス保持具２０は全体が釣り錐形状の中空体２２であり、かつ開閉可能な支持片３４を頂部に設けている。したがって、所定のシリコンゴムなどで形成されるいわゆるゴム型に溶解されたワックスを注入する場合でも、冷却後、ワックスで成型された中空体２２の内部から、頂部２４のピン挿通孔２８を出口としてシリコンゴムの取り出しが可能である。
【００２１】
したがって、ピアス保持具２０は宝飾品の製造に一般的なロストワックスキャスティング技法により、一体的に成型することができる。このことにより、従来のピアス用キャッチの製造に必要とされたプレス切断加工及びプレス折曲加工などの複数の工程が不要となり、製造がきわめて容易となりコスト面でも経済的である。
【００２２】
さらに、本発明に係るピアス保持具では、中空体の釣り錘形状による他のバリエーションが可能である。例えば、以下のような趣味感にあふれた装飾的形状が具現でき、装身具パーツのデザインという点でも非常に有用である。
【００２３】
例えば、図８は、第２のピアス保持具を示す平面図であり、図９は、その側面図である。ピアス保持具６０は、中空の略三角錐体６１に形成され、その稜線部に沿った細幅の３本の切溝部６２により３片のピアス用ピンの支持片６４が形成され、いかにもピラミッドのような装飾的形状をなすものである。
【００２４】
また、図１０は、第３のピアス保持具を示す平面図であり、図１１は、その側面図である。ピアス保持具８０は、中空の略円錐体８１の稜線部に段差部８５が形成され、細幅の２本の切溝部８２によりピアス用ピンの支持片８４が設けられ、いかにも玉ねぎのような趣味感にあふれた装飾的形状をなすものである。
【００２５】
さらに、図１２は、第４のピアス保持具を示す平面図、図１３は、その側面図である。ピアス保持具１００は、中空の略円錐体１０１に、４本のらせん状の切溝部１０２によるピアス用ピンの支持片１０４が形成されたものである。
【００２６】
さらに、図１４は、第５のピアス保持具を示す斜視図、図１５は、第５のピアス保持具を示す底面図、図１６は、第５のピアス保持具にピアス用ピンを挿通した状態を示す断面図である。
第５のピアス保持具１１０は、釣り錐形状の中空体１１１の底部略中央にピアス用ピンのピン挿通孔１１６が形成され、該中空体１１１の稜線部に形成される４本の切溝部１１２により４片のピン支持片１１３が設けられたものである。
【００２７】
該ピン支持片１１３は、先端で中心から内方向きにそれぞれカール状に湾曲され、最先端にはピアス用ピン４２の周部に形成される溝部４４と嵌合するレール状の掛留部１１４が設けられている。ピアス用ピン４２をピン挿通孔１１６より圧入すると、ピン支持片１１３が外側に一旦開き、ばね力によってピアス用ピン４２の周部を押圧し、掛留部１１４が溝部４４と嵌合して固定する。
【００２８】
また、ピアス保持具１１０の頂部には、挿通孔は形成されず、例えば、ダイアモンドなどの宝石１１８を多数ちりばめた装飾部１１７が形成されている。
したがって、ピアス用保持具１１０は、前記までのピアス用保持具のように、耳の裏側でキャッチとして使用するのみならず、耳の表側でピアスイアリングとして、いわゆるリバーシブルとしての使用も可能である。また、装飾部１１７の形状は、平坦なものが図示されているが、ダイアモンドなどの宝石１１８を固定する必要性より、凸状など他の形状がとなることはいうまでもない。
【００２９】
さらに、ピアス用保持具１１０は、前記ピアス用保持具同様に、全体が釣り錐形状の中空体であり、かつ開閉可能な支持片１１３を底部に設けている。したがって、宝石１１８を取り付ける以前の装飾部１１７または底部のピン挿通孔１１６を出口として、シリコンゴムの取り出しが可能となり、ロストワックスキャスティング技法により、一体的に成型することができる。
【００３０】
上記の如く、いくつかの実施形態により本発明を説明したが、それらを以って本発明を前記実施形態のみに限定するものではなく、この発明の精神を逸脱しない限り種々の改変を加えて、多種多様の変更ができることはいうまでもない。例えば、中空体の釣り錘形状は、その表面部に、さらに装飾的部分を付加する場合には、種々の形状を具現できる。
【００３１】
【発明の効果】
本発明に係るピアス保持具によれば、釣り錘形状の底部を指で持ちながら、ピアス用ピンを挿脱することができるので、その使用が容易である。また、複数の支持片によりピアス用ピンを固定するため、装着中のズレや永年の使用によるばね力の疲労が生じ難く、ピアスイアリングを紛失するような事故のおそれがない。さらに、一体的な成型により製造が容易でかつコスト面でも経済的である。くわえて、リバーシブルとしての使用など、多種多様な使用方法も可能である。
【図面の簡単な説明】
【図１】従来のピアスキャッチを示す側面図である。
【図２】従来のピアスキャッチを示す斜視図である。
【図３】第１のピアス保持具を示す斜視図である。
【図４】第１のピアス保持具を示す平面図である。
【図５】図４のＡ−Ａ‘線図である。
【図６】第１のピアス保持具を示す底面図である。
【図７】第１のピアス保持具にピアス用ピンを挿通した状態を示す側部断面図である。
【図８】第２のピアス保持具を示す平面図である。
【図９】第２のピアス保持具を示す側面図である。
【図１０】第３のピアス保持具を示す平面図である。
【図１１】第３のピアス保持具を示す側面図である。
【図１２】第４のピアス保持具を示す平面図である。
【図１３】第４のピアス保持具を示す側面図である。
【図１４】第５のピアス保持具を示す斜視図である。
【図１５】第５のピアス保持具を示す底面図である。
【図１６】第５のピアス保持具にピアス用ピンを挿通した状態を示す断面図である。
【符号の説明】
２０　ピアス保持具
２２　中空体
２４　頂部
２６　底部
２８　ピン挿通孔
３０　ピン挿通孔
３２　切溝部
３４　支持片
３６　案内壁部
３８　挟着部
４０　ピアス用イアリング
４２　ピアス用ピン
４４　溝部
６０　ピアス保持具
６１　三角錐体
６２　切溝部
６４　支持片
８０　ピアス保持具
８１　円錐体
８２　切溝部
８４　支持片
８５　段差部
１００　ピアス保持具
１０１　略円錐体
１０２　切溝部
１０４　支持片
１１０　ピアス保持具
１１１　中空体
１１２　切溝部
１１３　ピン支持片
１１４　掛留部
１１６　ピン挿通孔
１１７　装飾部
１１８　宝石
【図１】
2004024369.tif 000003
【図２】
2004024369.tif 000004
【図３】
2004024369.tif 000005
【図４】
2004024369.tif 000006
【図５】
2004024369.tif 000007
【図６】
2004024369.tif 000008
【図７】
2004024369.tif 000009
【図８】
2004024369.tif 000010
【図９】
2004024369.tif 000011
【図１０】
2004024369.tif 000012
【図１１】
2004024369.tif 000013
【図１２】
2004024369.tif 000014
【図１３】
2004024369.tif 000015
【図１４】
2004024369.tif 000016
【図１５】
2004024369.tif 000017
【図１６】
2004024369.tif 000018